(57)【特許請求の範囲】
【請求項１】
内部に揮散剤（Ｄ）を収容する扁平筒状をなし、両開口（１０），（１０）をそれぞれ閉塞して使用時に取り外す一対のキャップ（Ｃ），（Ｃ）を備えた容器本体（Ａ）と、各キャップ（Ｃ），（Ｃ）を取り外した容器本体（Ａ）の両開口外周部分にそれぞれ一対のカバー枠（２０），（２０）を嵌合させて、両開口（１０），（１０）が開放された状態で容器本体（Ａ）を起立支持させる支持体（Ｂ）とを備え、支持体（Ｂ）に対して容器本体（Ａ）を着脱可能に装着していることを特徴とする揮散剤用容器。
【請求項２】
容器本体（Ａ）を、上下端を開口（１０）した扁平筒状に構成し、支持体（Ｂ）を、下面を被載置面に載置する載置面とした下カバー枠（２０ａ）及び下カバー枠（２０ａ）上方に平行する上カバー枠（２０ｂ）の各前部を連結部（２１）で一体化するとともに、上カバー枠（２０ｂ）及び下カバー枠（２０ａ）の開閉が可能な連結部（２１）の弾性変形が可能に構成し、上カバー枠（２０ｂ）及び下カバー枠（２０ａ）の開閉による上カバー枠（２０ｂ）及び下カバー枠（２０ａ）間への容器本体（Ａ）の着脱が可能に構成し、容器本体（Ａ）の上下開口から上カバー枠（２０ｂ）及び下カバー枠（２０ａ）に設けた通気孔（２４）を介して収容揮散剤（Ｄ）の揮散が可能に構成した請求項１に記載の揮散剤用容器。
【請求項３】
容器本体（Ａ）は、各開口（１０）外周部分にそれぞれキャップ（Ｃ）を嵌合する一対の小径部（１２）を備え、上カバー枠（２０ｂ）及び下カバー枠（２０ａ）は、小径部（１２）の両側部から後部に亘り開口縁を嵌合させた中空カバー形態をなし、開口縁以外の壁部に通気孔（２４）を穿設した請求項２に記載の揮散剤用容器。
【請求項４】
支持体（Ｂ）を、連結部（２１）の中心を通る水平中心線を中心に上下対称に形成した請求項２又は請求項３のいずれか１項に記載の揮散剤用容器。
【請求項５】
容器本体（Ａ）を、上下端を開口（１０）した扁平筒状に構成し、支持体（Ｂ）を、下面を被載置面に載置する載置面とした下カバー枠（２０ａ）及び下カバー枠（２０ａ）上方に平行する上カバー枠（２０ｂ）の各前部を連結部（２１）で一体化するとともに、後方より容器本体（Ａ）を下カバー枠（２０ａ）及び上カバー枠（２０ｂ）間にスライド嵌合可能に構成し、容器本体（Ａ）の上下開口から下カバー枠（２０ａ）及び上カバー枠（２０ｂ）に設けた通気孔（２４）を介して収容揮散剤（Ｄ）の揮散が可能に構成した請求項１記載の揮散剤用容器。
【請求項６】
容器本体（Ａ）は、各開口（１０）外周部分にそれぞれキャップ（Ｃ）を嵌合する一対の小径部（１２）を備え、上カバー枠（２０ｂ）は小径部（１２）の両側に下部を嵌合させる一対の上部側壁部（２５）の上端より頂壁部（２６）を延設して構成し、下カバー枠（２０ａ）は、小径部（１２）の両側に上部を嵌合させる一対の下部側壁部（２２）の下端より底壁部（２３）を延設して構成し、嵌合部分以外の壁部に通気孔（２４）を穿設した請求項５に記載の揮散剤用容器。
【請求項７】
支持体（Ｂ）を、連結部（２１）の中心を通る水平中心線を中心に上下対称に形成した請求項５又は請求項６のいずれか１項に記載の揮散剤用容器。
【請求項８】
容器本体（Ａ）を、左右両側端を開口した扁平横筒状に構成し、支持体（Ｂ）を、下面を被載置面に載置する載置面とした基部（２９）より起立した左縦カバー枠（２０ｃ）を容器本体（Ａ）の左部開口（１０）外周部分に嵌合させる左支持体（Ｂ１）と、下面を被載置面に載置する載置面とした基部（２９）より起立した右縦カバー枠（２０ｄ）を容器本体（Ａ）の右部開口（１０）外周部分に嵌合させる右支持体（Ｂ２）とで構成し、容器本体（Ａ）の左右開口から各縦カバー枠に設けた通気孔（２４）を介して収容揮散剤（Ｄ）の揮散が可能に構成した請求項５又は請求項６のいずれか１項に記載の揮散用容器。
【請求項９】
容器本体（Ａ）は、各開口（１０）外周部分にそれぞれキャップ（Ｃ）を嵌合する一対の小径部（１２）を備え、各縦カバー枠（２０）は、小径部（１２）の周囲に開口縁を嵌合させた中空カバー形態をなし、壁部に通気孔（２４）を穿設した請求項８に記載の揮散剤用容器。
【請求項１０】
左支持体（Ｂ１）と右支持体（Ｂ２）とを同形状に形成した請求項８又は請求項９のいずれか１項に記載の揮散剤用容器。
【発明の詳細な説明】
【技術分野】
【０００１】
本発明は揮散剤用容器に関し、詳しくは、消臭剤や脱臭剤などの揮散剤を収容して冷蔵庫等に使用が好適な揮散剤容器に関する。
【背景技術】
【０００２】
内部に脱臭剤等の揮散剤を収容して収容物を揮散することで脱臭効果を図り、冷蔵庫等で使用する揮散剤用容器が種々提案されている。（例えば、特許文献１を参照）
【０００３】
上記特許文献１に記載された容器は、開口端が厚み方向で平坦面となった外容器と、この外容器の開口端に対向する段部を内面に備え外容器に対して嵌合係止可能で通気孔が設けられたキャップと、外容器の中に挿入できる大きさで上部に外向きのフランジを有する薄肉の内容器からなり、外容器の開口端とキャップの段部の間に内容器のフランジを挟持した状態で外容器とキャップを嵌合係止する如く構成している。
【０００４】
また、上記容器は、キャップの頂部に通気孔を穿設し、そこから消臭剤を揮散させる如く構成している。
【先行技術文献】
【特許文献】
【０００５】
【特許文献１】特開平０６−２９３３５７号公報
【発明の概要】
【発明が解決しようとする課題】
【０００６】
上記した如き従来の容器は、キャップ部分のみに通気孔を設けているため揮散面積に制限があり、充分な揮散効果を発揮し得ない虞があった。特に冷蔵庫に使用するこの種の容器は冷蔵庫内でのスペースを大きくとると収納物の邪魔となるため、容器形状を極力スリムにする傾向があり、その結果上記虞がより顕著となっていた。
【０００７】
本発明はこの様な点に鑑みてなされたもので、スリムな容器形状にあっても充分な揮散効果を発揮する優れた防臭剤容器を提案するものである。
【課題を解決するための手段】
【０００８】
第１の手段として、以下の通り構成した。即ち、内部に揮散剤Ｄを収容する扁平筒状をなし、両開口10，10をそれぞれ閉塞して使用時に取り外す一対のキャップＣ，Ｃを備えた容器本体Ａと、各キャップＣ，Ｃを取り外した容器本体Ａの両開口外周部分にそれぞれ一対のカバー枠20，20を嵌合させて、両開口10，10が開放された状態で容器本体Ａを起立支持させる支持体Ｂとを備え、支持体Ｂに対して容器本体Ａを着脱可能に装着している。
【０００９】
第２の手段として、以下の通り構成した。即ち、前記第１の手段に於いて、容器本体Ａを、上下端を開口10した扁平筒状に構成し、支持体Ｂを、下面を被載置面に載置する載置面とした下カバー枠20a 及び下カバー枠20a 上方に平行する上カバー枠20b の各前部を連結部21で一体化するとともに、上カバー枠20b 及び下カバー枠20a の開閉が可能な連結部21の弾性変形が可能に構成し、上カバー枠20b 及び下カバー枠20a の開閉による上カバー枠20b 及び下カバー枠20a 間への容器本体Ａの着脱が可能に構成し、容器本体Ａの上下開口から上カバー枠20b 及び下カバー枠20a に設けた通気孔24を介して収容揮散剤Ｄの揮散が可能に構成した。
【００１０】
第３の手段として、以下の通り構成した。即ち、前記第２の手段に於いて、容器本体Ａは、各開口10外周部分にそれぞれキャップＣを嵌合する一対の小径部12を備え、上カバー枠20b 及び下カバー枠20a は、小径部12の両側部から後部に亘り開口縁を嵌合させた中空カバー形態をなし、開口縁以外の壁部に通気孔24を穿設した。
【００１１】
第４の手段として、以下の通り構成した。即ち、第２の手段又は第３の手段のいずれかの手段に於いて、支持体Ｂを、連結部21の中心を通る水平中心線を中心に上下対称に形成した。
【００１２】
第５の手段として、以下の通り構成した。即ち、前記第１の手段に於いて、容器本体Ａを、上下端を開口10した扁平筒状に構成し、支持体Ｂを、下面を被載置面に載置する載置面とした下カバー枠20a 及び下カバー枠20a 上方に平行する上カバー枠20b の各前部を連結部21で一体化するとともに、後方より容器本体Ａを下カバー枠20a 及び上カバー枠20b 間にスライド嵌合可能に構成し、容器本体Ａの上下開口から下カバー枠20a 及び上カバー枠20b に設けた通気孔24を介して収容揮散剤Ｄの揮散が可能に構成した。
【００１３】
第６の手段として、以下の通り構成した。即ち、前記第５の手段に於いて、容器本体Ａは、各開口10外周部分にそれぞれキャップＣを嵌合する一対の小径部12を備え、上カバー枠20b は小径部12の両側に下部を嵌合させる一対の上部側壁部25の上端より頂壁部26を延設して構成し、下カバー枠20a は、小径部12の両側に上部を嵌合させる一対の下部側壁部22の下端より底壁部23を延設して構成し、嵌合部分以外の壁部に通気孔24を穿設した。
【００１４】
第７の手段として、以下の通り構成した。即ち、第５の手段又は第６の手段のいずれかの手段に於いて、支持体Ｂを、連結部21の中心を通る水平中心線を中心に上下対称に形成した。
【００１５】
第８の手段として、以下の通り構成した。即ち、前記第５の手段又は第６の手段のいずれかの手段に於いて、容器本体Ａを、左右両側端を開口した扁平横筒状に構成し、支持体Ｂを、下面を被載置面に載置する載置面とした基部29より起立した左縦カバー枠20c を容器本体Ａの左部開口10外周部分に嵌合させる左支持体B1と、下面を被載置面に載置する載置面とした基部29より起立した右縦カバー枠20d を容器本体Ａの右部開口10外周部分に嵌合させる右支持体B2とで構成し、容器本体Ａの左右開口から各縦カバー枠に設けた通気孔24を介して収容揮散剤Ｄの揮散が可能に構成した。
【００１６】
第９の手段として、以下の通り構成した。即ち、前記第８の手段に於いて、容器本体Ａは、各開口10外周部分にそれぞれキャップＣを嵌合する一対の小径部12を備え、各縦カバー枠20は、小径部12の周囲に開口縁を嵌合させた中空カバー形態をなし、壁部に通気孔24を穿設した。
【００１７】
第10の手段として、以下の通り構成した。即ち、前記第８の手段又は第９の手段のいずれかの手段に於いて、左支持体B1と右支持体B2とを同形状に形成した。
【発明の効果】
【００１８】
本発明によれば、扁平筒状をなす容器本体Ａでスペースを採らない状態であっても、容器本体Ａには二つの開口が存在し、しかも、各開口が開放された状態で容器本体Ａを起立支持させる支持体Ｂを備えているため、極めて効率の良い揮散剤の揮散が可能となる。また、支持体Ｂに対して容器本体Ａを着脱可能に装着しているため、揮散剤Ｄが無くなった際には交換が可能であり、容器本体Ａのみの交換ですむため経済的である。
【００１９】
容器本体Ａを、上下端を開口10した扁平筒状に構成し、支持体Ｂを、下面を被載置面に載置する載置面とした下カバー枠20a 及び下カバー枠20a 上方に平行する上カバー枠20b の各前部を連結部21で一体化するとともに、上カバー枠20b 及び下カバー枠20a の開閉が可能な連結部21の弾性変形が可能に構成し、上カバー枠20b 及び下カバー枠20a の開閉による上カバー枠20b 及び下カバー枠20a 間への容器本体Ａの着脱が可能に構成し、容器本体Ａの上下開口から上カバー枠20b 及び下カバー枠20a に設けた通気孔24を介して収容揮散剤Ｄの揮散が可能に構成した場合には、容器本体Ａの交換が極めて容易に行える利点を兼ね備えている。また、支持体Ｂは容器本体Ａの狭い方の幅と略同じ程度の幅での形成が可能であり、支持体Ｂにより占有スペースが大きくなることを極力防止できる利点もある。
【００２０】
容器本体Ａは、各開口10外周部分にそれぞれキャップＣを嵌合する一対の小径部12を備え、上カバー枠20b 及び下カバー枠20a は、小径部12の両側部から後部に亘り開口縁を嵌合させた中空カバー形態をなし、開口縁以外の壁部に通気孔24を穿設した場合には、装着される容器本体Ａが確実に所定位置に嵌合されて通気孔24が閉塞される等の不都合を生じる虞がなく、特に、下カバー枠20a に形成される通気孔24は側面部分のみが有効となるため、確実な嵌合配置によりこれらが塞がる虞がなく、効率の良い揮散が可能となる。
【００２１】
支持体Ｂを、連結部21の中心を通る水平中心線を中心に上下対称に形成した場合には、どちらのカバー枠を下にしても上にしても使用が可能であり、取り扱いが極めて便利となる利点を兼ね備えている。特に、収容物が詰まった冷蔵庫内での交換等の際には極めて便利である。
【００２２】
容器本体Ａを、上下端を開口10した扁平筒状に構成し、支持体Ｂを、下面を被載置面に載置する載置面とした下カバー枠20a 及び下カバー枠20a 上方に平行する上カバー枠20b の各前部を連結部21で一体化するとともに、後方より容器本体Ａを下カバー枠20a 及び上カバー枠20b 間にスライド嵌合可能に構成し、容器本体Ａの上下開口から下カバー枠20a 及び上カバー枠20b に設けた通気孔24を介して収容揮散剤Ｄの揮散が可能に構成した場合には、上記と同様に容器本体Ａの交換が極めて容易に行える利点があり、また、支持体Ｂは容器本体Ａの狭い方の幅と略同じ程度の幅での形成が可能であり、支持体Ｂにより占有スペースが大きくなることを極力防止できる利点もある
【００２３】
容器本体Ａは、各開口10外周部分にそれぞれキャップＣを嵌合する一対の小径部12を備え、上カバー枠20b は小径部12の両側に下部を嵌合させる一対の上部側壁部25の上端より頂壁部26を延設して構成し、下カバー枠20a は、小径部12の両側に上部を嵌合させる一対の下部側壁部22の下端より底壁部23を延設して構成し、嵌合部分以外の壁部に通気孔24を穿設した場合には、上記と同様に装着される容器本体Ａが確実に所定位置に嵌合されて通気孔24が閉塞される等の不都合を生じる虞がなく、特に、下カバー枠20a に形成される通気孔24は側面部分のみが有効となるため、確実な嵌合配置によりこれらが塞がる虞がなく、効率の良い揮散が可能となる。
【００２４】
支持体Ｂを、連結部21の中心を通る水平中心線を中心に上下対称に形成した場合には、上記と同様にどちらのカバー枠を下にしても上にしても使用が可能であり、取り扱いが極めて便利となる利点を兼ね備えている。特に、収容物が詰まった冷蔵庫内での交換等の際には極めて便利である。
【００２５】
容器本体Ａを、左右両側端を開口した扁平横筒状に構成し、支持体Ｂを、下面を被載置面に載置する載置面とした基部29より起立した左縦カバー枠20c を容器本体Ａの左部開口10外周部分に嵌合させる左支持体B1と、下面を被載置面に載置する載置面とした基部29より起立した右縦カバー枠20d を容器本体Ａの右部開口10外周部分に嵌合させる右支持体B2とで構成し、容器本体Ａの左右開口から各縦カバー枠20に設けた通気孔24を介して収容揮散剤Ｄの揮散が可能に構成した場合には、上記と同様に容器本体Ａの交換が極めて容易に行える利点を兼ね備えている。また、支持体Ｂは容器本体Ａの狭い方の幅と略同じ程度の幅での形成が可能であり、支持体Ｂにより占有スペースが大きくなることを極力防止できる利点もある。
【００２６】
容器本体Ａは、各開口10外周部分にそれぞれキャップＣを嵌合する一対の小径部12を備え、各縦カバー枠20は、小径部12の周囲に開口縁を嵌合させた中空カバー形態をなし、壁部に通気孔24を穿設した場合には、上記と同様に装着される容器本体Ａが確実に所定位置に嵌合されて通気孔24が閉塞される等の不都合を生じる虞がない。
【００２７】
左支持体B1と右支持体B2とを同形状に形成した場合には、一つの型で両者を形成できる製造上の利点がある。
【図面の簡単な説明】
【００２８】
【図１】揮散剤用容器の斜視図である。（実施例１）
【図２】揮散剤用容器の一部切欠側面図である。（実施例１）
【図３】揮散剤容器の正面図である。（実施例１）
【図４】容器本体の斜視図である。（実施例１）
【図５】揮散剤容器の斜視図である。（実施例２）
【図６】揮散剤容器の後部斜め方向からの斜視図である。（実施例２）
【図７】揮散剤容器の斜視図である。（実施例３）
【図８】揮散剤容器の半断面図である。（実施例３）
【発明を実施するための形態】
【００２９】
以下、本発明の形態を図面を参照して説明する。
【００３０】
図１は、揮散剤用容器１の一例を示す。
【００３１】
揮散剤用容器１は、容器本体Ａと、支持体Ｂとを備えている。
【００３２】
容器本体Ａは、図４に示す如く扁平筒状をなし、上下の開口10の外周部分は段部11を介してそれぞれ小径部12に形成されている。また、使用前或いは交換用のスペアー容器としている場合には、各開口10を閉塞する一対のキャップＣを備えている。各キャップＣは小径部12に嵌合する周壁100 の上端より蓋板101 を延設した形態であり、周壁100 の前後には摘み102 を突設している。また、容器本体Ａ内には例えば消臭剤や脱臭剤等の揮散剤Ｄを収容している。                                      
【００３３】
支持体Ｂは、容器本体Ａの両開口10外周部分に一対のカバー枠20を嵌合させて両開口10が開放された状態で容器本体Ａを起立支持させるもので、本例では下面を冷蔵庫の冷蔵室内底面等の被載置面に載置する載置面とした下カバー枠20a と、下カバー枠20a 上方に平行する上カバー枠20b とを備え、下カバー枠20a の前部と上カバー枠20b の前部とを連結部21で連結して一体化しており、側面視横Ｕ字状に形成されている。
【００３４】
また、上カバー枠20b 及び下カバー枠20a は、容器本体Ａの小径部12の両側部から後部に亘り開口縁を嵌合させる中空カバー形態をなし、開口縁以外の壁部に通気孔24を穿設している。本例に於ける下カバー枠20a は、前後方向に長い底壁部23の両側縁及び後縁より下部側壁部22を起立し、両側の下部側壁部22と底壁部23にはそれぞれ複数の通気孔24を穿設している。上カバー枠20b は、同様に前後方向に長い頂壁部26の両側縁及び後縁より上部側壁部25を垂設し、両側の上部側壁部25と頂壁部26にはそれぞれ複数の通気孔24を穿設している。下部側壁部22と上部側壁部25の内面端部には容器本体Ａの各小径部12が嵌合する凹部28を凹設している。各上部側壁部25、下部側壁部22に穿設された通気孔24は、図２に示す如く、容器本体Ａを装着した際にその上端縁より上方位置に、また、下端縁より下方位置にそれぞれ穿設されている。
【００３５】
また、支持体Ｂは、上カバー枠20b 及び下カバー枠20a の開閉が可能な連結部21の弾性変形が可能に構成し、上カバー枠20b 及び下カバー枠20a の開閉による上カバー枠20b 及び下カバー枠20a 間への容器本体Ａの着脱が可能に構成している。本例では、連結部21の上下中央後面に凹溝27形成し、上カバー枠20b 及び下カバー枠20a の開閉をより容易に構成している。
【００３６】
また、支持体Ｂは、連結部21の中心を通る水平中心線を中心に上下対称に形成している。従って、この場合には上方にあるカバー枠20が上カバー枠20b となり、下方にあるカバー枠20が下カバー枠20a となり、容器本体Ａを装着した場合にはその上下をどちらにしても同様に使用が可能となる。尚、上下対称に形成しない場合には、下カバー枠20a の底壁部23に通気孔24を設ける必要がない。
【００３７】
上記の如く構成した揮散剤用容器１は、例えば、下部カバー枠20a 及び上部カバー枠20b を開くことで図１の状態から容器本体Ａを取り外すことができ、また、交換用の容器本体Ａを装着することができる。また、容器本体Ａの上下開口から上カバー枠20b 及び下カバー枠20a に設けた各通気孔24を介して収容揮散剤Ｄが揮散する。
【００３８】
図５及び図６は他の例を示すもので、本例に於ける揮散剤容器１も、容器本体Ａと支持体Ｂとを備えており、容器本体Ａは、図１の例で使用した図４に示す容器本体Ａを使用できる。
【００３９】
本例に於ける支持体Ｂは、下面を冷蔵庫の冷蔵室内底面等の被載置面に載置する載置面とした下カバー枠20a と、下カバー枠20a 上方に平行する上カバー枠20b とを備え、下カバー枠20a の前部と上カバー枠20b の前部とを連結部21で連結して一体化しており、側面視横Ｕ字状に形成されている。
【００４０】
また、後方より容器本体Ａを下カバー枠20a 及び上カバー枠20b 間にスライド嵌合可能に構成しており、容器本体Ａの上下開口から下カバー枠20a 及び上カバー枠20b に設けた通気孔24を介して収容揮散剤Ｄの揮散が可能に構成している。下カバー枠20a は、前後方向に長い底壁部23の両側縁より一対の下部側壁部22を起立し、各下部側壁部22と底壁部23にはそれぞれ複数の通気孔24を穿設している。上カバー枠20b は、同様に前後方向に長い頂壁部26の両側縁より上部側壁部25を垂設し、各上部側壁部25と頂壁部26にはそれぞれ複数の通気孔24を穿設している。そして、図６に示す如く、支持体Ｂの後方より、下方の段部11を各下部側壁部22の上面に摺動させるとともに、下方の小径部12を各下部側壁部22間に摺動させ、上方の段部11を各上部側壁部25の下面に摺動させるとともに、上方の小径部12を各上部側壁部25間に摺動させて、容器本体Ａをスライド嵌合させて装着する。この際、各上部側壁部25、下部側壁部22に穿設された通気孔24は、図１の例の場合と同様、容器本体Ａの上端縁より上方位置に、また、下端縁より下方位置にそれぞれ穿設されている。
【００４１】
この場合も支持体Ｂは、連結部21の中心を通る水平中心線を中心に上下対称に形成しており、容器本体Ａを装着した場合にはその上下をどちらにしても同様に使用が可能となる。上下対称に形成しない場合には、下カバー枠20a の底壁部23に通気孔24を設ける必要がないのも同様である。尚、本例の場合にも連結部21に凹溝27を形成して、上下のカバー枠20を開閉可能に構成しており、容器本体Ａをスライドしての装着とし、上下のカバー枠20を開閉しての装着の両方が可能に構成している。
【００４２】
図７及び図８は更に他の例を示し、本例に於ける揮散剤容器１も、容器本体Ａと支持体Ｂとを備えており、容器本体Ａは、図１の例で使用した図４に示す容器本体Ａを使用でき、本例では横向きに使用している。
【００４３】
支持体Ｂは、左支持体B1と右支持体B2との一対で構成している。左支持体B1は、下面を冷蔵庫の冷蔵室内底面等の被載置面に載置する載置面とした基部29より起立した左縦カバー枠20c を容器本体Ａの左方の開口10外周部分に嵌合させ、また、右支持体B2は、下面を同様の載置面として基部29より起立した右縦カバー枠20d を容器本体Ａの右部開口10外周部分に嵌合させている。
【００４４】
左縦カバー枠20c 及び右縦カバー枠20d は、基部29上面より起立した前壁30と後壁31と側壁32との上端縁を頂壁33で閉塞して構成しており、小径部12の周囲に開口縁を嵌合させた中空カバー形態をなし、前壁30から側壁32亘る複数の通気孔24と、後壁31から側壁32に亘る複数の通気孔24を穿設している。そして、容器本体Ａの左右開口から各縦カバー枠20に設けた通気孔24を介して収容揮散剤Ｄの揮散が可能に構成している。左縦カバー枠20c 及び右カバー枠20d の先端内周には、容器本体Ａの小径部12が嵌合する凹部28を設けている。
【００４５】
また、左支持体B1と右支持体B2は同形状に形成しており、一つの型での形成が可能としている。
【符号の説明】
【００４６】
１：揮散剤用容器
Ａ：容器本体
10…開口、11…段部、12…小径部
Ｂ：支持体（B1：左支持体、B2：右支持体）                                        20…カバー枠、20a …下カバー枠、20b …上カバー枠、20c …左縦カバー枠、
20d …右縦カバー枠、21…連結部、22…下部側壁部、23…底壁部、24…通気孔、
25…上部側壁部、26…頂壁部、27…凹溝、28…凹部、29…基部、30…前壁、31…後壁、
32…側壁、33…頂壁
Ｃ：キャップ
100 …周壁、101 …蓋板、102 …摘み
Ｄ：揮散剤
【図１】
0005413911.tif 000002
【図２】
0005413911.tif 000003
【図３】
0005413911.tif 000004
【図４】
0005413911.tif 000005
【図５】
0005413911.tif 000006
【図６】
0005413911.tif 000007
【図７】
0005413911.tif 000008
【図８】
0005413911.tif 000009